(57)【要約】【課題】  複数のトイレットペーパーロールを重積収納したフィルム袋の包装工程と手提げ用テープの貼付工程とを狭いスペースでできるようにして、嵩の大きなトイレットペーパーの包装装置を小型コンパクト化すると共に製造効率も向上する。【解決手段】  トイレットペーパーを重積収納したフィルム袋Ａをその開口部を側方にして移送コンベヤ１で搬送するようにし、該移送コンベヤ１の一側開口部Ａ側に折込み用の各ガイド６・７・９・１０と接着用のヒータープレート１１からなる開口部閉封装置Ｃを設けると共に移送コンベヤ１の他側のフィルム袋の底部側に手提げ用テープ貼付装置Ｄを設けてフィルム袋Ａの開口部の閉封処理と手提げ用テープ取付とを同時に行う。【選択図】        図１
2005126116.tif 000002
【特許請求の範囲】
【請求項１】
トイレットペーパーロールを収納したフィルム袋の移送コンベヤの袋開口部側に開口部閉封装置を設置すると共に袋の底部側に手提げ用テープ貼付装置を設置したことを特徴とするトイレットペーパーの包装装置。
【請求項２】
移送コンベヤの上方に袋の上部を保持する押えコンベヤを設けると共に手提げテープ貼付装置はテープをフィルム袋の移送方向に沿って貼付することを特徴とする請求項１記載のトイレットペーパーの包装装置。
【発明の詳細な説明】
【技術分野】
【０００１】
本発明は複数のトイレットペーパーを販売するための包装装置に関するものである。
【背景技術】
【０００２】
トイレットペーパーの複数を販売用に包装する手段としては、扁平状のフィルム袋Ａ内に例えば４個のロールＢを２段又は３段に重積収納してからその開口部を閉封すると共に該閉封部に手提げ用テープを貼付するか、フィルム袋自体に手提げ部を形成しているのが現状である。
【特許文献１】特開昭５０−１０１１７３号公報
【特許文献２】特開昭６３−２７２６７８号公報
【発明の開示】
【発明が解決しようとする課題】
【０００３】
しかしながら前記手提げ用テープを貼付する方式は、フィルム袋の開口部の閉封工程を終わってから貼付工程を行なわなければならず装置全体が長大化し、狭いスペース内に設置することが困難である。また各フィルム袋自体に手提げ部を形成する方式は、多大なフィルム袋の使用量を必要とするコスト上の問題点がある。
【０００４】
本発明はこれらの現状を鑑み、手提げ部の形成にはテープを使用し、フィルムの閉封工程とテープの貼付工程を同時に行うようにして装置の小型コンパクト化を図り狭い設置スペースで能率よく包装できるようにしたトイレットペーパーの包装装置を提供することを目的とするものである。
【課題を解決するための手段】
【０００５】
本発明はトイレットペーパーロールを収納したフィルム袋の移送コンベヤの袋開口部側に開口部閉封装置を設置すると共に袋の底部側に手提げ用テープ貼付装置を設置したことを特徴とするものであり、前記移送装置の上方には袋の上部を押えるコンベヤを設けると共に手提げ用テープ貼付装置はテープをフィルム袋の底部にその移送方向に沿って貼付することが好適である。
【発明の効果】
【０００６】
本発明のトイレットペーパー包装装置は、トイレットペーパーロールを収容したフィルム袋の移送装置の一側の袋開口部側に閉封装置を、他側のフィルム袋の底部側に手提げ用テープ貼付装置を夫々設置したことにより、トイレットペーパーの両工程を同時に行うことができ包装装置の工程の小型コンパクト化を図り、嵩の大きいトイレットペーパーの狭い設置スペースでの包装作業を可能にすると共にその製造作業も短時間で迅速に行なうことができ、製造効率を向上し、しかも従来のフィルム袋自体に手提げ部を設ける方式に比しフィルム袋の消費も節減することができるものである。
【発明を実施するための最良の形態】
【０００７】
本発明の実施の形態を図面の実施例について説明すると、移送コンベヤ１は、複数例えばトイレットペーパーロールＡを４個宛３段に重積収納しかつその一端部を開口したフィルム袋Ａをその開口部を側方にして搬送するものであり、該移送装置１の上方には前記フィルム袋Ａの上部を保持する押えコンベヤ２が設置されると共に前記移送コンベヤ１の始端部にはこれに直交するように送込みコンベヤ３が設けられ、該送込みコンベヤ３の終端部側部に設けられた送込みシリンダー４で作動する送込み板５が送込みコンベヤ３上のフィルム袋Ａを移送コンベヤ１上に順次搬送できるように構成されている。
【０００８】
しかして前記移送コンベヤ１の一側であるフィルム袋Ａの開口部Ａ′側には前記送込み板５と連動して往復動する開口部Ａ′の後側縁を前方に向け折込む後側縁折曲ガイド６と該後側縁折曲ガイド６の前方に設けられかつ前部に斜行部７′を形成した固定の前側縁折曲ガイド７とが設けられ、送込み板５のフィルム袋Ａの送込み作用と連動して後側縁折曲ガイド６が図４Ｉ〜ＩＩＩに示す如く作動し、先ず開口部Ａ′の後側縁を折込んだ前側縁折曲ガイド７が開口部Ａ′の前側縁を折込むように形成され、その後送込み板５及び後側縁折曲ガイド６は復帰するように構成されている。
【０００９】
また前記前側縁折曲ガイド７の前部には前記前側縁折曲ガイド７の斜行部７′との間に誘導溝部８を形成するように台形状の折返し板９と該折返し板９の上部及び前部に誘導溝部８′を有するように対設された上部折返し板１０とが順次設置され、フィルム袋Ａの移送作用により前記折込み作用で形成された開口部Ａ′の三角状の下側縁を誘導溝部８に誘導しながら折返し板９の後部傾斜部によって上方に折曲し、次いで挿入溝部８′に誘導された開口部Ａの三角状上側縁を上部折返し板１０によって下方に折曲重合するように構成され、更にフィルム袋Ａが移送されることによりこの重合部をその前部に設置された往復動自在のヒータープレート１１で熱接着して袋の開口部Ａ′を閉封するように形成されており、これら後側縁折曲ガイド６、前側縁折曲ガイド７、折返し板９、上部折返し板１０及びヒータープレート１１によって開口部閉封装置Ｃを構成している。
【００１０】
一方移送コンベヤ１のフィルム袋Ａの他側の底部側に設置されたその進行方向に手提げ用テープＥを接着する手提げ用テープ貼付装置Ｄは、テープ巻着ロール１２のテープＥを糊付装置１３、乾燥ヒーター１３′を介してサクションローラー１４に誘導してカッタードラム１５のカッター１５′で一定の長さに切断してフィルム袋Ａの底部中央にサクションベルト１６で当接し、順次その前後部を往復動ローラ１７・１８でフィルム袋の側部に折曲接着するものである。なお図中１９は送込みコンベヤの終端に設けられた突き当てガイド、２０・２０はフィルム袋Ａのサイド搬送ベルトである。
【００１１】
このようして本発明においてはフィルム袋Ａの開口部Ａ′の折畳み閉封と手提げ用テープＥの貼付とを移送コンベヤ１の両側において同時に行うようにしたので、従来のような大きな設置スペースを必要とせず、狭いスペース内において能率よく包装工程を行うことができると共に製造作業も短時間で迅速に行なうことができるものである。
【図面の簡単な説明】
【００１２】
【図１】本発明の平面図。
【図２】本発明の正面図。
【図３】本発明の背面図。
【図４】本発明の閉封工程説明図。
【図５】本発明のテープ貼付工程説明。
【符号の説明】
【００１３】
Ａ    フィルム袋
Ａ′  開口部
Ｃ    開口部閉封装置
Ｄ    手提げ用テープ貼付装置
Ｅ    テープ
１    移送コンベヤ
２    押えコンベヤ
【図１】
2005126116.tif 000003
【図２】
2005126116.tif 000004
【図３】
2005126116.tif 000005
【図４】
2005126116.tif 000006
【図５】
2005126116.tif 000007